(57)【要約】【課題】  広範囲にわたって有翅昆虫を捕虫するのに有効な捕虫装置を提供する。【解決手段】  捕虫装置１５は、ビニールハウス１１の両側方に設けられ、上下方向に面状に配設され、有翅昆虫の移動を遮る遮蔽部１２と、該遮蔽部１２に沿って斜め上方へ延び、有翅昆虫を上方へ誘導する誘導部１６と、該誘導部１６の上端部に接続され、有翅昆虫を捕虫する捕虫部１７とを備えている。遮蔽部１２はビニールハウス１１の両側部と兼用されている。また、遮蔽部１２、誘導部１６及び捕虫部１７はいずれも合成樹脂製のネットで構成されている。前記誘導部１６より下方位置の遮蔽部１２には、ロール状に形成されて有翅昆虫をその内側に導くロール部１８を備えている。更に、誘導部１６の上端部には捕虫部１７側ほど縮径された戻り防止部材が設けられる。【選択図】      図１
2005168488.tif 000002
【特許請求の範囲】
【請求項１】
上下方向に面状に配設され、有翅昆虫の移動を遮る遮蔽部と、該遮蔽部に沿って斜め上方へ延び、有翅昆虫を上方へ誘導する誘導部と、該誘導部の上端部に接続され、有翅昆虫を捕虫する捕虫部とを備えることを特徴とする捕虫装置。
【請求項２】
前記誘導部より下方位置の遮蔽部には、ロール状に形成されて有翅昆虫をその内側に導くロール部を備えた請求項１に記載の捕虫装置。
【請求項３】
前記誘導部を左右から山型になるように配設してそれらの上端部で捕虫部に接続するように構成した請求項１又は請求項２に記載の捕虫装置。
【請求項４】
前記誘導部の上端部は捕虫部内に挿入されると共に、誘導部から捕虫部に入った有翅昆虫が誘導部へ戻るのを抑制するために捕虫部側ほど縮径又は縮幅された戻り防止部材を設けた請求項１から請求項３のいずれか一項に記載の捕虫装置。
【請求項５】
前記捕虫部内には、捕虫部に入った有翅昆虫が誘導部へ戻るのを抑制するために下部側ほど縮径又は縮幅された戻り防止部材を設けた請求項１から請求項４のいずれか一項に記載の捕虫装置。
【請求項６】
前記遮蔽部は臭い又は光を通すように構成され、遮蔽部を境にして前記誘導部とは反対側には有翅昆虫を誘引する誘引源を設けた請求項１から請求項５のいずれか一項に記載の捕虫装置。
【発明の詳細な説明】
【技術分野】
【０００１】
本発明は、例えばビニールハウスや畑の等の周囲に設けられ、野菜や果物の害虫となる有翅昆虫を捕集（以下、捕虫という）するための捕虫装置に関するものである。
【背景技術】
【０００２】
従来、この種の装置としては、ごきぶりの捕獲装置が知られている。すなわち、ごきぶり捕獲用の箱には、斜めに登る入り口を有し、内部にはループ部分を備えると共に、落下したごきぶりを収容して逆走を防止する収容部を備えている。そして、入り口から捕獲装置内に入ったごきぶりは、一旦収容部に落ちると、外へ出ることができないようになっている（例えば、特許文献１を参照）。また、別のごきぶり捕獲装置は、筒状をなす捕獲箱の両端が入り口となり、両入り口から内方へ上昇する傾斜面を有し、その傾斜面を登って来たごきぶりは上端部から落下して収容部へと収容されるようになっている（特許文献２を参照）。
【特許文献１】実開昭５０−１５１７９１号公報（第１頁及び第２図）
【特許文献２】実開昭５４−８２７７８号公報（第１頁、第２頁及び第１図）
【発明の開示】
【発明が解決しようとする課題】
【０００３】
ところが、従来の捕獲装置で捕獲するごきぶりは、主に歩いて移動する虫であるのに対し、ビニールハウス内や畑の農作物に有害なコナジラミ類、ヨウトウムシ類、タバコガ類等の有翅昆虫は通常羽根で飛んで移動している。このため、有翅昆虫が捕獲装置内の収容部に一旦入っても、その後羽根で飛んで逃げ出してしまい、有翅昆虫の捕獲装置としては有効ではないという問題があった。このような有翅昆虫が飛び交う畑やビニールハウスの周囲といった広範囲において有効な捕虫装置が求められていた。
【０００４】
本発明は、このような従来技術に存在する問題点に着目してなされたものである。その目的とするところは、広範囲にわたって有翅昆虫を捕虫するのに有効な捕虫装置を提供することにある。
【課題を解決するための手段】
【０００５】
上記の目的を達成するために、請求項１に記載の発明の捕虫装置は、上下方向に面状に配設され、有翅昆虫の移動を遮る遮蔽部と、該遮蔽部に沿って斜め上方へ延び、有翅昆虫を上方へ誘導する誘導部と、該誘導部の上端部に接続され、有翅昆虫を捕虫する捕虫部とを備えることを特徴とするものである。
【０００６】
請求項２に記載の発明の捕虫装置は、請求項１に記載の発明において、前記誘導部より下方位置の遮蔽部には、ロール状に形成されて有翅昆虫をその内側に導くロール部を備えたものである。
【０００７】
請求項３に記載の発明の捕虫装置は、請求項１又は請求項２に記載の発明において、前記誘導部を左右から山型になるように配設してそれらの上端部で捕虫部に接続するように構成したものである。
【０００８】
請求項４に記載の発明の捕虫装置は、請求項１から請求項３のいずれか一項に記載の発明において、前記誘導部の上端部は捕虫部内に挿入されると共に、誘導部から捕虫部に入った有翅昆虫が誘導部へ戻るのを抑制するために捕虫部側ほど縮径又は縮幅された戻り防止部材を設けたものである。
【０００９】
請求項５に記載の発明の捕虫装置は、請求項１から請求項４のいずれか一項に記載の発明において、前記捕虫部内には、捕虫部に入った有翅昆虫が誘導部へ戻るのを抑制するために下部側ほど縮径又は縮幅された戻り防止部材を設けたものである。
【００１０】
請求項６に記載の発明の捕虫装置は、請求項１から請求項５のいずれか一項に記載の発明において、前記遮蔽部は臭い又は光を通すように構成され、遮蔽部を境にして前記誘導部とは反対側には有翅昆虫を誘引する誘引源を設けたものである。
【発明の効果】
【００１１】
本発明によれば、次のような効果を発揮することができる。
請求項１に記載の発明の捕虫装置によれば、広範囲にわたって有翅昆虫を捕虫するのに有効であるという効果を奏する。
【００１２】
請求項２に記載の発明の捕虫装置によれば、請求項１に係る発明の効果に加えて、ロール部によって有翅昆虫の捕虫効果を更に向上させることができる。
請求項３に記載の発明の捕虫装置によれば、請求項１又は請求項２に係る発明の効果に加えて、有翅昆虫の捕虫率を高めることができると共に、広範囲に存在する有翅昆虫を分けて効果的に捕虫することができる。
【００１３】
請求項４又は請求項５に記載の発明の捕虫装置によれば、請求項１から請求項３のいずれか１項に係る発明の効果に加えて、誘導部から捕虫部に入った有翅昆虫が誘導部へ戻るのを抑制することができる。
【００１４】
請求項６に記載の発明の捕虫装置によれば、請求項１から請求項５のいずれか１項に係る発明の効果に加えて、有翅昆虫は臭い又は光による誘引源に誘引されるため、有翅昆虫の捕虫率を向上させることができる。
【発明を実施するための最良の形態】
【００１５】
以下、本発明の実施形態につき、図面を用いて詳細に説明する。
（第１実施形態）
図１〜図３に示すように、ビニールハウス１１は下部が四角筒状、上部が半円筒状に形成され、下部の両側面は遮蔽部１２となる合成樹脂製のネットで構成され、上部及び前後面は塩化ビニル樹脂製のシート１３で構成されている。ネットの網目は一辺が０．４〜４mmに設計され、ビニールハウス１１内の通気性が確保されている。また、前後面には引き戸１４が設けられ、ビニールハウス１１内への出入りができるようになっている。
【００１６】
ビニールハウス１１両側部のネット外面には捕虫装置１５が設けられている。すなわち、ビニールハウス１１両側部のネットは上下方向に配設され、有翅昆虫の移動を遮る遮蔽部１２と兼用されている。有翅昆虫とは羽根を有しており、空中を飛び交う虫をいい、具体的にはコナジラミ類、キスジノミハムシ類、ヨトウムシ類、タバコガ類、スリップス類、アブラムシ類等が挙げられる。前記ネットの網目が一辺０．４mmであれば、コナジラミ類、キスジノミハムシ類等の大半の有翅昆虫を捕虫することができる。ネットの網目が一辺４mmであれば、ヨトウムシ類、タバコガ類等を捕虫することができ、コナジラミ類、スリップス類、アブラムシ類等の微小な有翅昆虫を捕虫しないようにすることができる。
【００１７】
遮蔽部１２の外面には、ネットにより庇状に下方へ傾斜するように形成され、前端下部から遮蔽部１２の外面に沿って斜め上方へ延びる傾斜部１６ａを有し、後端の上端部に到る誘導部１６が設けられ、有翅昆虫を斜め上方へ誘導するようになっている。この誘導部１６は、前記遮蔽部１２と同じ網目を有し、その先端縁は地面より一定の高さに設定されている。有翅昆虫は低い位置で飛び、遮蔽部１２で上へ移動する習性を有することから、誘導部１６の先端縁を低い位置に設定しておくことが望ましい。
【００１８】
この誘導部１６の上端部すなわちビニールハウス１１後端のコーナ上部には、四角箱状をなし、下部が下端ほど縮幅するテーパ状に形成された捕虫部１７が支持され、誘導部１６に沿って移動してきた有翅昆虫を捕虫するようになっている。該捕虫部１７もネットによって構成され、その底部には図示しない有翅昆虫の取り出し部を備えている。
【００１９】
前記誘導部１６の傾斜部１６ａより下方位置の遮蔽部１２には、ネットがロール状に形成されたロール部１８が設けられている。図４に示すように、ロール部１８は渦巻状に形成され、その重なり部分１９に図示しない間隔保持部材が介装されて有翅昆虫の導入口２０となり、有翅昆虫を図中の矢印で示すように導入口２０から内部へ導くようにしている。図１及び図２に示すように、ロール部１８は誘導部１６上端の傾斜部１６ａに沿って後方へ延び、その上端部は捕虫部１７内に挿入され、ロール部１８内に入って上方へ移動してきた有翅昆虫を捕虫部１７内に導くようにしている。前記誘導部１６だけでも有翅昆虫を捕虫部１７へと誘導することはできるが、誘導部１６内にロール部１８を設けることにより、有翅昆虫をロール部１８内から捕虫部１７へと確実に導くことができ、有翅昆虫の捕虫率を高めることができる。
【００２０】
さて、ビニールハウス１１の両側部の外面には前端下部から後端上部へと延びる誘導部１６及びその内側にはロール部１８が設けられると共に、後端上部には捕虫部１７が設けられている。このため、ビニールハウス１１の周囲を飛び交う有翅昆虫がビニールハウス１１へ近づこうとすると、誘導部１６の下を通って遮蔽部１２に当り、遮蔽部１２に沿って上昇する。そして、有翅昆虫は誘導部１６に沿ってビニールハウス１１の後部上方へと移動し、捕虫部１７内へと入る。また、遮蔽部１２に沿って上昇し、ロール部１８内へ入った有翅昆虫は、ロール部１８内を通ってビニールハウス１１の後部上方へと導かれ、捕虫部１７内へと入る。このように、低い位置を飛び交い、斜め上方へと移動する有翅昆虫の習性を利用して、有翅昆虫を捕虫部１７内へ捕獲することができる。
【００２１】
ちなみに、遮蔽部１２の長さを２ｍ、高さを１２０ｃｍとし、誘導部１６の前端の高さを５０ｃｍ、後端の高さを１２０ｃｍとしたとき、１日の有翅昆虫の捕虫数は１２５頭であった。
【００２２】
以上の第１実施形態によって発揮される効果について、以下に記載する。
・  第１実施形態の捕虫装置１５によれば、上下方向に配設され、有翅昆虫の移動を遮る遮蔽部１２と、該遮蔽部１２に沿って斜め上方へ延び、有翅昆虫を上方へ誘導する誘導部１６と、該誘導部１６の上端部に接続され、有翅昆虫を捕虫する捕虫部１７とを備えている。このため、有翅昆虫がビニールハウス１１に近づくのを遮蔽部１２で遮り、誘導部１６え斜め上方へ誘導して捕虫部１７で捕虫することができる。従って、第１実施形態の捕虫装置１５はビニールハウス１１の両側方における広範囲にわたって有翅昆虫を捕虫するのに有効である。
【００２３】
・  ロール部１８によって有翅昆虫をロール部１８内に導いて捕虫部１７へと移動させることができ、有翅昆虫の捕虫効果を更に向上させることができる。
・  このように、捕虫装置１５は同一のネットにより遮蔽部１２、誘導部１６、捕虫部１７及びロール部１８を形成すればよいことから、構成が簡易で安価なものである。
（第２実施形態）
図７（ａ）〜（ｃ）に示すように、誘導部１６上端に設けられた突出部１６ｂは捕虫部１７内に挿入され、水平方向へ延びている。その突出部１６ｂ内には、ネットによって捕虫部１７側ほど縮径された横円錐台状の戻り防止部材２５が保持されている。この戻り防止部材２５により、誘導部１６から捕虫部１７に入った有翅昆虫が再び誘導部１６へ戻るのを抑制するようになっている。戻り防止部材２５は特に、移動性の強いカメムシ類、スズメバチ等の蜂類等に対して有用である。
【００２４】
また、捕虫部１７内の中央部にはネットにより逆円錐台状に形成された戻り防止部材の本体２６が保持され、その本体２６の下端には同じくネットにより円筒状に形成されたガイド筒２７が連結されている。これらの本体２６とガイド筒２７により戻り防止部材２８が構成されている。この戻り防止部材２８により、捕虫部１７内の有翅昆虫が上方へ移動して誘導部１６へ戻るのを抑制するようになっている。捕虫部１７の下部は逆円錐状に形成され、その下端部が円筒状に形成されて虫排出口２９となっている。前記戻り防止部材２８によって捕虫部１７が上部空間３０と下部空間３１とに区分されている。虫排出口２９は常には閉じられており、捕虫された有翅昆虫を排出するときのみ開口される。
【００２５】
さて、有翅昆虫は誘導部１６に沿って上方へ移動し、その突出部１６ｂから戻り防止部材２５を通って捕虫部１７の上部空間３０内に入る。前記戻り防止部材２５は捕虫部１７側ほど縮径された横円錐台状に形成されていることから、捕虫部１７内に一旦入った有翅昆虫は誘導部１６側へは戻り難い。更に、捕虫部１７の上部空間３０内に入った有翅昆虫は、やがて戻り防止部材２８を通って下降し、捕虫部１７の下部空間３１に到る。戻り防止部材２８は下部ほど縮径された逆円錐台状に形成されていることから、一旦下部空間３１に入った有翅昆虫は上部空間３０へは戻り難い。従って、第２実施形態の捕虫装置１５によれば、２つの戻り防止部材２５、２８により、誘導部１６から捕虫部１７に入った有翅昆虫が再び誘導部１６へ戻るのを効果的に抑制することができる。
【００２６】
ちなみに、誘導部１６の上端部及び捕虫部１７の構成を、第２実施形態の場合と第１実施形態の場合とで比較するために、１０頭のチャバネアオカメムシを第２実施形態の場合には捕虫部１７の上部空間３０に入れ、第１実施形態の場合には捕虫部１７に入れた。そして、１２時間後に捕虫部１７の下部空間３１又は捕虫部１７に残るチャバネアオカメムシの数を数えた。その結果、第２実施形態の場合には、１０頭のチャバネアオカメムシの全てが捕虫部１７の下部空間３１に移動していた。これに対し、第１実施形態の場合には７頭のチャバネアオカメムシが捕虫部１７に残り、３頭のチャバネアオカメムシが誘導部１６へ戻った。
（第３実施形態）
図８に示すように、第３実施形態の遮蔽部１２は四角箱状に形成され、それら四側部の外面には第１実施形態と同様の捕虫装置１５が設けられている。遮蔽部１２の一側部の長さは例えば２．５ｍ、高さは１．２〜２．０ｍに設定される。前記のように遮蔽部１２はネットで構成され、臭い又は光を通すように構成されている。四角箱状に形成された遮蔽部１２の中心位置には、臭い又は光によって有翅昆虫を誘引する誘引源３２が支持されている。誘引源３２の高さは例えば１．０〜１．５ｍに設定される。臭いによって有翅昆虫を誘引する誘引源３２はフェロモンであって、例えばチャバネアオカメムシを誘引するフェロモンとしては、メチル（ＥＥＺ）２,４,６−デカトリエノエートが挙げられる。フェロモンの使用量は、１ヶ月間にわたって有翅昆虫を誘引することができるように３ｇ程度に設定される。また、フェロモンの効果はその周辺２００〜３００ｍ程度の範囲まで及び、その範囲に存在する有翅昆虫を誘引することができる。
【００２７】
また、有翅昆虫としてのハスモンヨトウを誘引するフェロモンとしては、（ｚ,ｅ）−９,１１−テトラデカジエニルアセタートと（ｚ,ｅ）−９,１２−テトラデカジエニルアセタートとを１０：１の質量比で混合したものが挙げられ、その使用量は１ｍｇ程度である。有翅昆虫としてのタバコガを誘引するフェロモンとしては、（ｚ）−９−テトラデセニルアセタートと、ヘキサデカナールと、（ｚ）−１１−ヘキサデセナールと、（ｚ）−９−ヘキサデセニルアセタートとを１００：８：３：５の質量比で混合したものが挙げられ、その使用量は１０ｇ程度である。一方、誘引源３２が光の場合には、ランプの電力が４０〜６０Ｗ程度の範囲で、その適用範囲は１００ｍ程度である。
【００２８】
ちなみに、誘引源３２として６０Ｗの水銀灯を用い、一晩捕虫を行った。その結果、各捕虫部１７には、それぞれ１２５０頭、１５００頭、２４５０頭及び２６９０頭の有翅昆虫を捕虫することができた。捕虫された有翅昆虫は、蛾類、蜂類、ウンカ類、ハエ類、クモ、蚊、カメムシ類、コガネムシ類等で、蛾類が最も多かった。
（第４実施形態）
図９に示すように、第４実施形態では第３実施形態において、各側部の外面に設けられた誘導部１６を山型状に形成し、それらの頂部に第２実施形態に示す戻り防止部材２５、２８を備えた捕虫部１７を設けた。従って、第４実施形態では、第２実施形態と第３実施形態との双方の効果を発揮することができる。ちなみに、誘引源３２として６０Ｗの水銀灯を用い、一晩捕虫を行った結果、各捕虫部１７には、それぞれ２３００頭、２５００頭、２６００頭及び３５００頭の有翅昆虫を捕虫することができた。
【００２９】
尚、前記実施形態は、次のように変更して具体化することも可能である。
・  図５に示すように、ビニールハウス１１の側部外面、すなわち遮蔽部１２には誘導部１６が山型になるように構成され、それらの頂部上方位置には捕虫部１７が設けられ、両者間がパイプ２１で接続されている。ロール部１８も誘導部１６内の上端縁に沿って山型に配設されている。そして、有翅昆虫は山型に構成された誘導部１６又はロール部１８に沿って上方へ移動し、パイプ２１を経て捕虫部１７で捕虫されるようになっている。このような構成の捕虫装置１５が遮蔽部１２に３対設けられている。
【００３０】
このように構成した場合、誘導部１６が山型に構成されているため、有翅昆虫が逃げにくく、中央の頂部に集まりやすく、捕虫率を高めることができると共に、ビニールハウス１１の側方で飛び交う有翅昆虫を３つの部分に分けて効果的に捕虫することができる。
【００３１】
・  図６に示すように、路地野菜を栽培する畑２２を取り囲むように矩形状に形成された遮蔽部１２がネットによって一定の高さまで設けられている。遮蔽部１２の各辺の外面には実施形態と同様の誘導部１６が斜めに延びるように設けられ、その上端には捕虫部１７が備えられている。このように構成することにより、畑２２に有翅昆虫が侵入してくるのを抑制することができ、有翅昆虫によって野菜に大きな被害がでるのを防ぐことができる。
【００３２】
・  捕虫部１７内に挿入されるロール部１８を先端ほど細くなるようにテーパ状に形成し、捕虫部１７内に入った有翅昆虫を戻りにくくすることもできる。
・  遮蔽部１２はビニールハウス１１の側部とは別に立設してもよい。また、遮蔽部１２を合成樹脂シート、合成樹脂板等で構成することも可能である。
【００３３】
・  誘導部１６及びロール部１８をビニールハウス１１の内部に設け、ビニールハウス１１内を飛び交う有翅昆虫を捕虫することも可能である。
・  ビニールハウス１１が前後に長い場合には、第１実施形態の誘導部１６、捕虫部１７及びロール部１８をセットにして複数配設するように構成することもできる。
【００３４】
・  誘導部１６及びロール部１８をシート、フィルム等で構成してもよい。誘導部１６をこのように構成した場合には、それが雨よけとなり、その下に粘着板等を吊るして捕虫する手段を講ずることもできる。
【００３５】
・  誘導部１６の下端部から上端部への形状は直線状以外に、折線状、下に凸の円弧状、上に凸の円弧状等の形状であってもよい。
・  表面に粘着剤を塗布し、そこに有翅昆虫が付くことで捕虫するシートを誘導部１６内の遮蔽部１２等に取付けることも可能である。
【００３６】
・  捕虫装置１５を人が住む家屋や施設の周囲に設けることもできる。
・  第２実施形態の戻り防止部材２５、２８として、対向する２面が捕虫部１７側又は捕虫部１７の下方ほど縮幅されたテーパ状のものを用いることもできる。
【００３７】
・  第２実施形態の戻り防止部材２５、２８のうち、いずれか一方を省略することもできる。
・  ちなみに、本発明には含まれないが、第２〜第４実施形態において、誘導部１６を省略し、誘引源３２により有翅昆虫を誘引し、捕虫部１７で捕虫することもできる。その場合、捕虫部１７を遮蔽部１２の側部の中心を誘引源３２に向かって凹状に形成し、そこに捕虫部１７を設けることが好ましい。
【００３８】
更に、前記実施形態又は別例より把握できる技術的思想について以下に記載する。
(1)  前記誘導部は基端縁が遮蔽部に接続され、先端縁が斜め下方へ延びる面状に構成されている請求項１から請求項３のいずれか一項に記載の捕虫装置。このように構成した場合、有翅昆虫を誘導部内へより確実に導くことができ、捕虫率を向上させることができる。
(2)  前記誘導部の先端縁は、誘導部の下端部から上端部まで下端部の先端縁とほぼ同じ高さになるように構成されている上記技術的思想(1)に記載の捕虫装置。この構成によれば、低い位置で飛び交う有翅昆虫を誘導部内へ導くことができる。
【図面の簡単な説明】
【００３９】
【図１】第１実施形態における捕虫装置を備えたビニールハウスを示す斜視図。
【図２】捕虫装置を備えたビニールハウスを示す正面図。
【図３】捕虫装置を示す側面図。
【図４】ループ部を示す部分斜視図。
【図５】別例として捕虫装置を備えたビニールハウスを示す正面図。
【図６】別例として周囲に捕虫装置を有する畑を示す平面図。
【図７】（ａ）は第２実施形態の捕虫装置における誘導部の上端部及び捕虫部を拡大して示す正面図、（ｂ）及び（ｃ）は戻り防止部材を示す斜視図。
【図８】第３実施形態の捕虫装置を示す斜視図。
【図９】第４実施形態の捕虫装置を示す正面図。
【符号の説明】
【００４０】
１２…遮蔽部、１５…捕虫装置、１６…誘導部、１７…捕虫部、１８…ロール部、２５、２８…戻り防止部材、３２…誘引源。
【図１】
2005168488.tif 000003
【図２】
2005168488.tif 000004
【図３】
2005168488.tif 000005
【図４】
2005168488.tif 000006
【図５】
2005168488.tif 000007
【図６】
2005168488.tif 000008
【図７】
2005168488.tif 000009
【図８】
2005168488.tif 000010
【図９】
2005168488.tif 000011